(57)【要約】【課題】導電路へのコネクタの取り付けを簡易化した導電路、コネクタ、コネクタ付き導電路、及び、導電路ユニットを提供する。【解決手段】導電路１１は、電源のプラス電極に接続される中心導体１１１ａと、中心導体１１１ａの外側を絶縁被覆する第１被覆部１１１ｂと、を有する高圧電線１１１と、マイナス電極に接続されると共に内部に高圧電線１１１が収容される金属パイプ１１２と、金属パイプ１１２の外側を絶縁被覆する第２被覆部１１３と、を備えている。コネクタ１２は、導電路１１の中心導体１１１ａに接続されるコンタクト１２１と、コンタクト１２１が挿入される筒状の導電性の外側導体１２２と、を備えている。金属パイプ１１２の端部において内側面には、ねじ切り１１２ａが設けられている。外側導体１２２の後端部において外側面には、ねじ切り１２２ｂが設けられている。金属パイプ１１２及び外側導体１２２が螺合されている。【選択図】図４
2020187906.tif 000002
【特許請求の範囲】
【請求項１】
電源のプラス電極及びマイナス電極の何れか一方に接続される中心導体と、前記中心導体の外側を絶縁被覆する第１被覆部と、を有する電線と、
前記プラス電極及び前記マイナス電極の何れか他方に接続されると共に内部に前記電線が収容される金属パイプと、
前記金属パイプの外側を絶縁被覆する第２被覆部と、を備えた導電路において、
前記金属パイプの端部において内側面又は外側面には、ねじ切りが設けられている、
導電路。
【請求項２】
請求項１に記載の導電路において、
前記中心導体は、前記電源のプラス電極に接続され、
前記金属パイプは、前記電源のマイナス電極に接続される、
導電路。
【請求項３】
請求項１又は２に記載の導電路において、
前記金属パイプに曲げ部が設けられている、
導電路。
【請求項４】
請求項３に記載の導電路において、
前記金属パイプの曲げ部内に配置された、前記電線の外側を被覆する保護スリーブをさらに備えた、
導電路。
【請求項５】
導電路の端末に取り付けられるコネクタであって、
前記導電路の中心導体に接続されるコンタクトと、
前記コンタクトが挿入される筒状の外側導体と、を備え、
前記外側導体の後端部において内側面又は外側面には、ねじ切りが設けられている、
コネクタ。
【請求項６】
導電路と、前記導電路の端末に取り付けられたコネクタと、を備えたコネクタ付き導電路であって、
前記導電路は、
電源のプラス電極及びマイナス電極の何れか一方に接続される中心導体と、前記中心導体の外側を絶縁被覆する第１被覆部と、を有する電線と、
前記プラス電極及び前記マイナス電極の何れか他方に接続されると共に内部に前記電線が収容される金属パイプと、
金属パイプの外側を絶縁被覆する第２被覆部と、を備え、
前記コネクタは、
前記導電路の中心導体に接続されるコンタクトと、
前記コンタクトが挿入される筒状の導電性の外側導体と、を備え、
前記金属パイプの端部において内側面及び外側面の何れか一方には、ねじ切りが設けられ、
前記外側導体の後端部において内側面及び外側面の何れか他方には、ねじ切りが設けられ、
前記金属パイプ及び前記外側導体が螺合されている、
コネクタ付き導電路。
【請求項７】
３つ以上の請求項６に記載のコネクタ付き導電路と、
３つ以上のコネクタ部を有する分岐コネクタと、を備え、
前記３つ以上のコネクタ部各々に前記コネクタ付き導電路がコネクタ接続されて、３つ以上の前記コネクタ付き導電路が互いに電気的に接続されている、
導電路ユニット。
【請求項８】
請求項６に記載のコネクタ付き導電路と、
柔軟性を有するコネクタ付き同軸ケーブルと、
２つのコネクタ部を有する中継コネクタと、を備え、
前記２つのコネクタ部各々に前記コネクタ付き導電路及び前記コネクタ付き同軸ケーブルがコネクタ接続されて、前記コネクタ付き導電路及びコネクタ付き同軸ケーブルが電気的に接続される、
導電路ユニット。
【発明の詳細な説明】
【技術分野】
【０００１】
本発明は、導電路、コネクタ、コネクタ付き導電路、及び、導電路ユニット、に関する。
【背景技術】
【０００２】
例えばハイブリッド自動車や電気自動車において、バッテリと、インバータユニットと、は高圧導電路により互いに電気的に接続されている。上記高圧導電路として、同軸構造のものが提案されている（特許文献１）。
【０００３】
上記高圧導電路は、プラス極導体及び第一絶縁体を有する高圧電線と、この高圧電線を覆うように設けられる金属パイプから構成されるマイナス極導体と、マイナス極導体を被覆する第二絶縁体と、を備えて構成されている。
【先行技術文献】
【特許文献】
【０００４】
【特許文献１】特開２０１３−１０９９３５号公報
【発明の概要】
【発明が解決しようとする課題】
【０００５】
上記高圧電線の端末には、コネクタが取り付けられる。金属パイプからなるマイナス極導体には、その外側面に半田付けや端子金具を用いて電線が取り付けられ、その電線の端末に、コネクタが取り付けられる。このため、マイナス極導体に電線を取り付ける作業が必要となる。また、高圧電線とマイナス極導体に取り付けた電線とに別々にコネクタを取り付ける必要があるため、コネクタの取り付けが煩雑である、という問題があった。
【０００６】
本発明は、上述した事情に鑑みてなされたものであり、その目的は、導電路へのコネクタの取り付けを簡易化した導電路、コネクタ、コネクタ付き導電路、及び、導電路ユニットを提供することにある。
【課題を解決するための手段】
【０００７】
前述した目的を達成するために、本発明に係る導電路、コネクタ、コネクタ付き導電路、及び、導電路ユニットは、下記［１］〜［８］を特徴としている。
［１］
電源のプラス電極及びマイナス電極の何れか一方に接続される中心導体と、前記中心導体の外側を絶縁被覆する第１被覆部と、を有する電線と、
前記プラス電極及び前記マイナス電極の何れか他方に接続されると共に内部に前記電線が収容される金属パイプと、
前記金属パイプの外側を絶縁被覆する第２被覆部と、を備えた導電路において、
前記金属パイプの端部において内側面又は外側面には、ねじ切りが設けられている、
導電路であること。
［２］
［１］に記載の導電路において、
前記中心導体は、前記電源のプラス電極に接続され、
前記金属パイプは、前記電源のマイナス電極に接続される、
導電路であること。
［３］
［１］又は［２］に記載の導電路において、
前記金属パイプに曲げ部が設けられている、
導電路であること。
［４］
［３］に記載の導電路において、
前記金属パイプの曲げ部内に配置された、前記電線の外側を被覆する保護スリーブをさらに備えた、
導電路であること。
［５］
導電路の端末に取り付けられるコネクタであって、
前記導電路の中心導体に接続されるコンタクトと、
前記コンタクトが挿入される筒状の外側導体と、を備え、
前記外側導体の後端部において内側面又は外側面には、ねじ切りが設けられている、
コネクタであること。
［６］
導電路と、前記導電路の端末に取り付けられたコネクタと、を備えたコネクタ付き導電路であって、
前記導電路は、
電源のプラス電極及びマイナス電極の何れか一方に接続される中心導体と、前記中心導体の外側を絶縁被覆する第１被覆部と、を有する電線と、
前記プラス電極及び前記マイナス電極の何れか他方に接続されると共に内部に前記電線が収容される金属パイプと、
金属パイプの外側を絶縁被覆する第２被覆部と、を備え、
前記コネクタは、
前記導電路の中心導体に接続されるコンタクトと、
前記コンタクトが挿入される筒状の導電性の外側導体と、を備え、
前記金属パイプの端部において内側面及び外側面の何れか一方には、ねじ切りが設けられ、
前記外側導体の後端部において内側面及び外側面の何れか他方には、ねじ切りが設けられ、
前記金属パイプ及び前記外側導体が螺合されている、
コネクタ付き導電路であること。
［７］
３つ以上［６］に記載のコネクタ付き導電路と、
３つ以上のコネクタ部を有する分岐コネクタと、を備え、
前記３つ以上のコネクタ部各々に前記コネクタ付き導電路がコネクタ接続されて、３つ以上の前記コネクタ付き導電路が互いに電気的に接続されている、
導電路ユニットであること。
［８］
［６］に記載のコネクタ付き導電路と、
柔軟性を有するコネクタ付き同軸ケーブルと、
２つのコネクタ部を有する中継コネクタと、を備え、
前記２つのコネクタ部各々に前記コネクタ付き導電路及び前記コネクタ付き同軸ケーブルがコネクタ接続されて、前記コネクタ付き導電路及びコネクタ付き同軸ケーブルが電気的に接続される、
導電路ユニットであること。
【０００８】
上記［１］、［５］及び［６］の構成の導電路、コネクタ及びコネクタ付き導電路によれば、導電路の金属パイプにコネクタを螺合して接続することができるため、導電路へのコネクタの取り付けを簡易化することができる。
【０００９】
上記［２］の構成の導電路によれば、金属パイプをマイナス電極に接続することにより、金属パイプに電磁シールドの機能を兼ねさせることができる。これにより、電磁シールド部材を省略して、導電路へのコネクタの取り付けをより一層、簡略化することができる。
【００１０】
上記［３］の構成の導電路によれば、金属パイプに曲げ部を設けて設置場所に応じた形状にすることができる。
【００１１】
上記［４］の構成の導電路によれば、保護スリーブにより曲げ部での第１被覆部の潰れを防止できる。
【００１２】
上記［７］の構成の導電路ユニットによれば、分岐コネクタを用いて容易に導電路を分岐することができる。
【００１３】
上記［８］の構成の導電路ユニットによれば、中継コネクタを用いてコネクタ付き導電路を、容易に柔軟性を有するコネクタ付き同軸ケーブルに接続することができる。これにより、設置場所に応じて曲げる必要がある導電路を、柔軟性のある同軸ケーブルにして容易に曲げることができる。
【発明の効果】
【００１４】
本発明によれば、導電路にコネクタを螺合して接続することができるため、導電路へのコネクタの取り付けを簡易化することができる導電路、コネクタ、コネクタ付き導電路及び導電路ユニットを提供できる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は、本発明のコネクタ付き導電路及び相手側コネクタを示す斜視図である。
【図２】図２は、図１に示すコネクタ付き導電路を構成する導電路の構成図である。
【図３】図３は、図２に示す金属パイプの構成図である。
【図４】図４は、図１に示すコネクタ付き導電路の分解側面図である。
【図５】図５は、第１実施形態の変形例における金属パイプの側面図である。
【図６】図６は、第１実施形態の変形例における導電路の構成図である。
【図７】図７は、図６に示す導電路を収容する金属パイプの側面図である。
【図８】図８は、第２実施形態における導電路ユニットの分解斜視図である。
【図９】図９は、第３実施形態における導電路ユニットの分解斜視図である。
【発明を実施するための形態】
【００１７】
本発明に関する具体的な実施形態について、各図を参照しながら以下に説明する。
【００１８】
（第１実施形態）
まず、第１実施形態における本発明のコネクタ付き導電路１について説明する。本実施形態のコネクタ付き導電路１は、ハイブリッド自動車（電気自動車であってもよい）のバッテリとインバータとの間を接続する例について説明する。バッテリは、車両の後部に搭載され、インバータは車両の前部に搭載されることが多い。このため、コネクタ付き導電路１は、一端が車両の後部でバッテリに接続され、他端が車両の前部でインバータに接続され、中間部が車両の床下に配索される。
【００１９】
コネクタ付き導電路１は、図１に示すように、導電路１１と、導電路１１の端末に取り付けられるコネクタ１２と、を備えている。導電路１１は、図２に示すように、電線としての高圧電線１１１と、内部に高圧電線１１１が収容される金属パイプ１１２と、金属パイプ１１２の外側を絶縁被覆する第２被覆部１１３と、を備えている。
【００２０】
高圧電線１１１は、中心導体１１１ａと、中心導体１１１ａの外側を絶縁被覆する第１被覆部１１１ｂと、を有している。中心導体１１１ａは、バッテリ（電源）のプラス電極に接続される。中心導体１１１ａは、アルミニウム又はアルミニウム合金製からなる単芯線から構成されている。中心導体１１１ａは、押出成形することにより形成され、中心導体１１１ａのサイズを、押出の定形サイズにすると製造を簡易にできる。第１被覆部１１１ｂは、中心導体１１１ａに対する被覆であって、公知の樹脂材料を押出成形することにより形成されている。
【００２１】
金属パイプ１１２は、バッテリのマイナス電極に接続される。金属パイプ１１２は、アルミニウム又はアルミニウム合金製からなる断面円形の金属製のパイプから構成されている。金属パイプ１１２は、押出成形することにより形成され、金属パイプ１１２のサイズは、押出の定型サイズにすると製造を簡易にできる。
【００２２】
また、金属パイプ１１２は、高圧電線１１１を挿通・収容することができるように形成されている。本実施形態における金属パイプ１１２は、高圧電線１１１の端末部を除いた全長を挿通・収容することができるように形成されている。即ち、図２に示すように、高圧電線１１１の端末部が金属パイプ１１２の端部から突出して露出される。金属パイプ１１２は、これ自身にて導電路１１の形状保持を可能とする剛性を有している。すなわち、例えば直管状の状態から曲げを施すと元に戻らずに曲げの形状を維持することが可能な剛性を有している。
【００２３】
金属パイプ１１２は、電気的安定性を向上させるために、中心導体１１１ａの導体断面積に対して同等になるように形成されている。例えば中心導体１１１ａの直径が１２ｍｍで導体断面積が１１３ｓｑの場合、金属パイプ１１２の外径を１９ｍｍ、厚さ２ｍｍとして導体断面積を１０６ｓｑとする。
【００２４】
また、金属パイプ１１２の端末部においてその内側面には、図３に示すように、後述するコネクタ１２を螺合するねじ切り１１２ａが設けられている。ねじ切り１１２ａには、スズめっき等、アルミの酸化被膜を除き、導電性を持たせるための処理が施されている。
【００２５】
第２被覆部１１３は、図２に示すように、金属パイプ１１２の外側面を被覆している。即ち、第２被覆部１１３の外側面には、電磁シールド部材は介在していない。第２被覆部１１３は、公知の樹脂材料を用いて押出成形や塗布により、或いは絶縁テープを所定厚まで巻き付ける等により形成されている。第２被覆部１１３は、予め金属パイプ１１２の外側面を被覆する状態に設けておいてもよいし、高圧電線１１１を金属パイプ１１２の内部に収容した後、金属パイプ１１２の外側面を被覆する状態に設けてもよいものとする。
【００２６】
コネクタ１２は、図４に示すように、導電路１１の中心導体の先端に被せて接続されるコンタクト１２１と、コンタクト１２１が挿入される筒状の外側導体１２２と、を備えている。コンタクト１２１は、導電部材から構成され、中心導体１１１ａが挿入される筒部１２１ａと、筒部１２１ａの先端側に設けられ、相手側コネクタ２の雌端子（図示せず）に嵌合するピン状の雄端子１２１ｂと、を備えている。
【００２７】
外側導体１２２は、高圧電線１１１が挿入されて取り付けられる筒状のシェル（図示せず）と、シェルによって回転自在に保持される接続ナット１２２ａと、を備えている。接続ナット１２２ａは、金属パイプ１１２内に挿入される円筒状に形成されている。接続ナット１２２ａの後端部（導電路１１側）には、その外側面にねじ切り１２２ｂが設けられている。接続ナット１２２ａの後端部を金属パイプ１１２内に挿入して回すと、接続ナット１２２ａのねじ切り１２２ｂと、金属パイプ１１２のねじ切り１１２ａと、が螺合する。これにより、外側導体１２２と金属パイプ１１２とが電気的に接続される。
【００２８】
また、接続ナット１２２ａの先端部（導電路１１から離れた側）には、図１に示すように、その内側面にねじ切り１２２ｃが設けられている。このねじ切り１２２ｃにより、相手側コネクタ２と螺合して、相手側コネクタ２と接続することができる。
【００２９】
次に、上述した導電路１１にコネクタ１２を取り付ける手順について説明する。まず、図４に示すように、高圧電線１１１を金属パイプ１１２に通す。次に、金属パイプ１１２の端部から突出した高圧電線１１１の端末部の第１被覆部１１１ｂを剥いて中心導体１１１ａを露出させる。この露出させた中心導体１１１ａにコンタクト１２１を被せた後、コンタクト１２１をかしめる。これにより、中心導体１１１ａとコンタクト１２１とが電気的に接続されるようになる。
【００３０】
次に、コンタクト１２１を取り付けた高圧電線１１１を外側導体１２２内に挿入する。このとき、高圧電線１１１（第１被覆部１１１ｂにより被覆されている部分）が外側導体１２２の図示しないシェル内に圧入される。その後、外側導体１２２の後端部を金属パイプ１１２内に挿入して、接続ナット１２２ａを回して、ねじ切り１１２ａ、１２２ｂ同士を螺合させる。これにより、外側導体１２２と金属パイプ１１２とが電気的に接続されるようになる。
【００３１】
本実施形態では、図１に示すように、上記コネクタ１２を例えば基板３上に設けた相手側コネクタ２と接続して、導電路１１を基板３に接続する。相手側コネクタ２は、中央に雄端子１２１ｂと嵌合する雌端子（図示せず）と、雌端子を収容する筒状の外側導体２１と、基板３に接続される端子部２２と、を備えている。
【００３２】
外側導体２１は、先端部（端子部２２から離れた側）において外側面にねじ切り２１１が形成されている。相手側コネクタ２の外側導体２１内に導電路１１に接続されたコネクタ１２の外側導体１２２の先端部を挿入して、接続ナット１２２ａを回すと、ねじ切り２１１、１２２ｃ同士が螺合される。これにより、相手側コネクタ２と導電路１１に接続されたコネクタ１２の外側導体２１、１２２同士が電気的に接続される。また、相手側コネクタ２の外側導体２１内にコネクタ１２の外側導体１２２の先端部を挿入すると相手側コネクタ２の雌端子とコネクタ１２の雄端子１２１ｂとが嵌合して、互いに電気的に接続される。
【００３３】
上述した実施形態によれば、導電路１１、コネクタ１２及びコネクタ付き導電路１によれば、金属パイプ１１２の端部において内側面にねじ切り１１２ａが設けられ、外側導体１２２の後端部における外側面にねじ切り１２２ｂが設けられている。これにより、導電路１１にコネクタ１２を螺合して接続することができるため、導電路１１へのコネクタ１２の取り付けを簡易化することができる。
【００３４】
また、上述した実施形態によれば、金属パイプ１１２をバッテリのマイナス電極に接続することにより、金属パイプ１１２に電磁シールドの機能を兼ねさせることができる。これにより、電磁シールド部材を省略して、導電路１１へのコネクタ１２の取り付けをより一層、簡略化することができる。
【００３５】
なお、上述した第１実施形態によれば、金属パイプ１１２は直管状に形成されていたが、これに限ったものではない。金属パイプ１１２は、図５に示すように、設置位置などに応じて曲げ部１１４が設けられていてもよい。曲げ部１１４を有する金属パイプ１１２の形成の仕方としては、例えば、直管形状の金属パイプ１１２を、ベンダー等によって屈曲させる機械的な成形手法が用いられ得る。また、直管形状の金属パイプ１１２を、曲げ部１１４に対応した形状を有する金型内に固定し、金属パイプ１１２の内側（中空部）から金型に向けて油圧を加えて曲げ部を形成する手法（いわゆる減圧形成法）で形成してもよい。
【００３６】
このような曲げ部１１４を有する金属パイプ１１２に高圧電線１１１を通すと、高圧電線１１１も金属パイプ１１２の曲げ部１１４に沿って曲がる。
【００３７】
また、金属パイプ１１２内の高圧電線１１１と金属パイプ１１２の内壁に隙間が存在する場合、図６及び図７に示すように、金属パイプ１１２の曲げ部１１４内に配置された、高圧電線１１１の外側を被覆する保護スリーブ１１５をさらに設けてもよい。保護スリーブ１１５は、ＰＰ（ポリプロピレン）やＰＡ（ポリアミド）などの樹脂で形成されている。この保護スリーブ１１５を設けることにより、曲げ部１１４での第１被覆部１１１ｂの潰れを防止できる。本実施形態では、曲げ部１１４内において高圧電線１１１は保護スリーブ１１５が金属パイプ１１２と高圧電線１１１の隙間を埋めるため、第１被覆部１１１ｂの潰れを防止できる。
【００３８】
（第２実施形態）
次に、第２実施形態における本発明のコネクタ付き導電路１を用いた導電路ユニット１００について説明する。第１実施形態においては、図１に示すように、コネクタ付き導電路１を基板３に接続された相手側コネクタ２に接続していが、これに限ったものではない。図８に示すように、コネクタ付き導電路１を分岐コネクタ４に接続して、導電路１１を複数に分岐するようにしてもよい。
【００３９】
上記導電路１１を複数に分岐した導電路ユニット１００について説明する。図８に示すように、導電路ユニット１００は、３つのコネクタ付き導電路１（図１中は１つしか図示していない）と、３つのコネクタ部４２を有する分岐コネクタ４と、を備えている。３つのコネクタ付き導電路１は各々、第１実施形態で説明したコネクタ付き導電路１と同等であるためここでは詳細な説明を省略する。
【００４０】
分岐コネクタ４は、略箱型の本体部４１と、本体部４１から突出する３つのコネクタ部４２と、を備えている。３つのコネクタ部４２は各々、コネクタ１２の接続ナット１２２ａの先端に挿入される筒状の外側導体４２１と、外側導体４２１内に収容される雌端子（図示せず）と、を備えている。また、本体部４１内には、３つの図示しない雌端子同士を互いに接続するための基板（図示せず）が収容されている。上記本体部４１及び３つのコネクタ部４２の外側導体４２１は、導電性部材により一体に形成されている。即ち、３つのコネクタ部４２の外側導体４２１は互いに電気的に接続されている。
【００４１】
３つのコネクタ部４２の外側導体４２１は、円筒状に設けられ、本体部４１の互いに隣接する３面から各々突出して設けられている。外側導体４２１は、先端の外側面にねじ切り４２１ａが設けられている。コネクタ１２の接続ナット１２２ａ先端部内に外側導体４２１を挿入して、接続ナット１２２ａを回すと、ねじ切り１２２ｃ、４２１ａ同士を螺合させる。これにより、コネクタ部４２及びコネクタ１２の外側導体４２１、１２２同士が電気的に接続される。即ち、３つの導電路１１の金属パイプ１１２同士が、分岐コネクタ４の外側導体４２１、本体部４１を介して電気的に接続されるようになる。
【００４２】
図示しない雌端子は、後端が基板に接続され、基板に形成された導電パターンにより３つの雌端子が各々電気的に接続される。上述したコネクタ１２の接続ナット１２２ａ先端部内に外側導体４２１を挿入すると、雄端子１２１ｂが外側導体４２１に収容される雌端子に嵌合して、雌端子と雄端子１２１ｂとが電気的に接続される。即ち、３つの導電路１１の中心導体１１１ａが、分岐コネクタ４の雌端子、基板上の導電パターンを介して電気的に接続されるようになる。
【００４３】
上述した第２実施形態によれば、分岐コネクタ４を用いて容易に導電路１１を分岐することができる。
【００４４】
（第３実施形態）
次に、第３実施形態における本発明のコネクタ付き導電路１を用いた導電路ユニット１００について説明する。第１実施形態においては、図１に示すように、コネクタ付き導電路１を基板３に接続された相手側コネクタ２に接続していが、これに限ったものではない。図９に示すように、コネクタ付き導電路１を中継コネクタ６に接続して、導電路１１を柔軟性のあるコネクタ付き同軸ケーブル５に接続するようにしてもよい。
【００４５】
導電路ユニット１００は、コネクタ付き導電路１と、柔軟性を有するコネクタ付き同軸ケーブル５と、中継コネクタ６と、を備えている。コネクタ付き導電路１は、第１実施形態で説明したコネクタ付き導電路１と同等であるためここでは詳細な説明を省略する。
【００４６】
コネクタ付き同軸ケーブル５は、同軸ケーブル５１と、同軸ケーブル５１の端末に取り付けられたコネクタ５２と、を備えている。同軸ケーブル５１は、中心導体と、素線を多数有する柔軟な編組導体（何れも図示せず）と、を有する周知の同軸ケーブルであり、金属パイプ１１２に比べて剛性が低く柔軟性を有する。
【００４７】
コネクタ５２は、同軸ケーブル５１の中心導体に接続される雄端子と、雄端子を収容し、編祖導体に接続される筒状の外側導体５２１と、を有する周知の同軸コネクタである。本実施形態では、外側導体５２１は、同軸ケーブル５１が挿入されて取り付けられる筒状のシェル（図示しない）と、シェルによって回転自在に保持される接続ナット５２１ａと、を備えている。
【００４８】
中継コネクタ６は、２つの雌端子（図示せず）と、２つの雌端子を収容する筒状の外側導体６１と、を備えている。中継コネクタ６の２つの雌端子は、互いに接続されている。外側導体６１は、筒状のシェル（図示せず）と、シェルによって回転自在に保持される接続ナット６１１と、を備えている。筒状のシェル内に２つの雌端子の後端が保持される。そして、接続ナット６１１の長さ方向一端側に２つの雌端子の一方が収容され、他端側に、２つの雌端子の他方が収容される。上記接続ナット６１１の両端部の外側面にはねじ切り６１１ａが設けられている。
【００４９】
２つの雌端子の一方と、外側導体６１のうち一方の雌端子を収容する部分と、がコネクタ部６２を構成する。また、２つの雌端子の他方と、外側導体６１のうち他方の雌端子を収容する部分と、がコネクタ部６３を構成する。即ち、中継コネクタ６には、２つのコネクタ部６２、６３が設けられている。
【００５０】
上述した中継コネクタ６の接続ナット６１１のコネクタ部６２側の端部をコネクタ１２の先端内に挿入し、接続ナット６１１のコネクタ部６３側の端部をコネクタ５２の先端内に挿入して、接続ナット６１１を回す。これにより、接続ナット６１１のコネクタ部６２側の端部に設けたねじ切り６１１ａと、コネクタ１２に設けたねじ切り１２２ｃと、が螺合し、金属パイプ１１２と外側導体６１とが電気的に接続される。また、接続ナット６１１のコネクタ部６３側の端部に設けたねじ切り６１１ａと、コネクタ５２に設けた図示しないねじ切りと、が螺合し、同軸ケーブル５１の編祖導体と外側導体６１とが電気的に接続される。
【００５１】
このとき、コネクタ部６２の雌端子とコネクタ１２の雄端子１２１ｂとが嵌合して、導電路１１の中心導体１１１ａとコネクタ部６２の雌端子が電気的に接続される。また、コネクタ部６３の雌端子とコネクタ５２の雄端子とが嵌合して、同軸ケーブル５１の中心導体とコネクタ部６３の雌端子が電気的に接続される。
【００５２】
即ち、上記中継コネクタ６を介して導電路１１、同軸ケーブル５１の中心導体同士が電気的に接続され、導電路１１の金属パイプと、同軸ケーブル５１の編祖導体とが電気的に接続される。
【００５３】
上述した第３実施形態によれば、中継コネクタ６を用いてコネクタ付き導電路１に、容易に柔軟性を有するコネクタ付き同軸ケーブル５に接続することができる。これにより、設置場所に応じて曲げる必要がある電源路を、同軸ケーブル５１にして容易に曲げることができる。
【００５４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
上述した実施形態では、導電路１１の中心導体１１１ａ、金属パイプ１１２はアルミ又はアルミ合金で形成していたが、これに限ったものではない。中心導体１１１ａ、金属パイプ１１２としては、例えば銅などの他の導電性部材から構成されていてもよい。
【００５６】
また、上述した実施形態では、金属パイプ１１２の内側面にねじ切り１１２ａが設けられ、コネクタ１２の外側面にねじ切り１２２ｂが設けられていたが、これに限ったものではない。金属パイプ１１２の外側面にねじ切り１１２ａを設け、コネクタ１２の内側面にねじ切り１２２ｂを設けるようにしてもよい。
【００５７】
ここで、上述した本発明に係る導電路、コネクタ、コネクタ付き導電路、及び、導電路ユニットの実施形態の特徴をそれぞれ以下［１］〜［８］に簡潔に纏めて列記する。
［１］
電源のプラス電極及びマイナス電極の何れか一方に接続される中心導体（１１１ａ）と、前記中心導体（１１１ａ）の外側を絶縁被覆する第１被覆部（１１１ｂ）と、を有する電線（１１１）と、
前記プラス電極及び前記マイナス電極の何れか他方に接続されると共に内部に前記電線（１１１）が収容される金属パイプ（１１２）と、
前記金属パイプ（１１２）の外側を絶縁被覆する第２被覆部（１１３）と、を備えた導電路（１１）において、
前記金属パイプ（１１２）の端部において内側面又は外側面には、ねじ切り（１１２ａ）が設けられている、
導電路（１１）。
［２］
［１］に記載の導電路（１１）において、
前記中心導体（１１１ａ）は、前記電源のプラス電極に接続され、
前記金属パイプ（１１２）は、前記電源のマイナス電極に接続され、
前記第２被覆部（１１３）は、前記金属パイプ（１１２）の外側面に直接、接触して被覆する、
導電路（１１）。
［３］
［１］又は［２］に記載の導電路（１１）において、
前記金属パイプ（１１２）に曲げ部（１１４）が設けられている、
導電路（１１）。
［４］
［３］に記載の導電路（１１）において、
前記金属パイプ（１１２）の曲げ部（１１４）内に配置された、前記電線（１１１）の外側を被覆する保護スリーブ（１１５）をさらに備えた、
導電路（１１）。
［５］
導電路（１１）の端末に取り付けられるコネクタ（１２）であって、
前記導電路（１１）の中心導体（１１１ａ）に接続されるコンタクト（１２１）と、
前記コンタクト（１２１）が挿入される筒状の外側導体（１２２）と、を備え、
前記外側導体（１２２）の後端部において内側面又は外側面には、ねじ切り（１２２ｂ）が設けられている、
コネクタ（１２）。
［６］
導電路（１１）と、前記導電路（１１）の端末に取り付けられたコネクタ（１２）と、を備えたコネクタ付き導電路（１）であって、
前記導電路（１１）は、
電源のプラス電極及びマイナス電極の何れか一方に接続される中心導体（１１１ａ）と、前記中心導体（１１１ａ）の外側を絶縁被覆する第１被覆部（１１１ｂ）と、を有する電線（１１１）と、
前記プラス電極及び前記マイナス電極の何れか他方に接続されると共に内部に前記電線（１１１）が収容される金属パイプ（１１２）と、
金属パイプ（１１２）の外側を絶縁被覆する第２被覆部（１１３）と、を備え、
前記コネクタ（１２）は、
前記導電路（１１）の中心導体（１１１ａ）に接続されるコンタクト（１２１）と、
前記コンタクト（１２１）が挿入される筒状の導電性の外側導体（１２２）と、を備え、
前記金属パイプ（１１２）の端部において内側面及び外側面の何れか一方には、ねじ切り（１１２ａ）が設けられ、
前記外側導体（１２２）の後端部において内側面及び外側面の何れか他方には、ねじ切り（１２２ｂ）が設けられ、
前記金属パイプ（１１２）及び前記外側導体（１２２）が螺合されている、
コネクタ付き導電路（１）。
［７］
３つ以上の［６］に記載のコネクタ付き導電路（１）と、
３つ以上のコネクタ部（４２）を有する分岐コネクタ（４）と、を備え、
前記３つ以上のコネクタ部（４２）各々に前記コネクタ付き導電路（１）がコネクタ接続されて、３つ以上の前記コネクタ付き導電路（１）が互いに電気的に接続されている、
導電路ユニット（１００）。
［８］
［６］に記載のコネクタ付き導電路（１）と、
柔軟性を有するコネクタ付き同軸ケーブル（５）と、
２つのコネクタ部（６２、６３）を有する中継コネクタ（６）と、を備え、
前記２つのコネクタ部（６２、６３）各々に前記コネクタ付き導電路（１）及び前記コネクタ付き同軸ケーブル（５）がコネクタ接続されて、前記コネクタ付き導電路（１）及びコネクタ付き同軸ケーブル（５）が電気的に接続される、
導電路ユニット（１００）。
【符号の説明】
【００５８】
１  コネクタ付き導電路
４  分岐コネクタ
５  コネクタ付き同軸ケーブル
６  中継コネクタ
１１  導電路
１２  コネクタ
４２  コネクタ部
６２、６３  コネクタ部
１００  導電路ユニット
１１１  高圧電線（電線）
１１１ａ  中心導体
１１１ｂ  第１被覆部
１１２  金属パイプ
１１２ａ  ねじ切り
１１３  第２被覆部
１１４  曲げ部
１１５  保護スリーブ
１２１  コンタクト
１２２  外側導体
１２２ｂ  ねじ切り
【図１】
2020187906.tif 000003
【図２】
2020187906.tif 000004
【図３】
2020187906.tif 000005
【図４】
2020187906.tif 000006
【図５】
2020187906.tif 000007
【図６】
2020187906.tif 000008
【図７】
2020187906.tif 000009
【図８】
2020187906.tif 000010
【図９】
2020187906.tif 000011